(57)【特許請求の範囲】
【請求項１】
それぞれ画角が異なる複数のワイド画像を撮像可能な撮像部を有する玄関子機と、
前記撮像部が撮像したワイド画像を受信して表示可能な居室親機と、
を備え、
前記居室親機は、
前記玄関子機から送信されてきた前記ワイド画像を表示する表示部と、
前記表示部に表示された前記ワイド画像の一部を拡大してズーム画像として表示するための操作が行われる操作部と、
を有し、
それぞれ画角が異なる前記複数のワイド画像の各々において、少なくとも一部の前記ズーム画像の表示範囲の中心位置が前記ワイド画像の画角を規定する角度座標軸上で同一であるとともに、前記角度座標軸上の前記中心位置が同一である前記ズーム画像を補正するための歪補正パラメータが共通で使用される、
インターホンシステム。
【請求項２】
前記居室親機は、
前記撮像部が撮像するワイド画像の画角を設定するための前記設定情報を設定する設定部と、
前記設定情報を前記玄関子機へ送信可能な送信部と、
を有し、
前記玄関子機は、
前記送信部から送信された前記設定情報を受信する受信部と、
前記設定情報を記憶する記憶部と、
を有し、
前記撮像部は、前記記憶部に記憶された前記設定情報に基づいて、前記撮像部が撮像するワイド画像の画角を決定する、
請求項１に記載のインターホンシステム。
【請求項３】
前記玄関子機は、前記ズーム画像の表示範囲を、前記ワイド画像の撮像範囲を超えないように設定する、
請求項１または請求項２に記載のインターホンシステム。
【発明の詳細な説明】
【技術分野】
【０００１】
本発明は、プライバシー保護等のために用いられるインターホンシステムに関するものである。
【背景技術】
【０００２】
従来、セキュリティ機能を向上させるために、カメラが設けられた玄関子機と、カメラの撮像信号を受信して表示可能な居室親機とを有するインターホンシステムがある。また、玄関周辺にいる不審者の発見を容易にするため、広角レンズを玄関子機に設けたインターホンシステムがある（特許文献１参照）。
【先行技術文献】
【特許文献】
【０００３】
【特許文献１】特開２００９−２３０３１８号公報
【発明の概要】
【発明が解決しようとする課題】
【０００４】
しかしながら、特許文献１のように、玄関子機に広角レンズを設けたインターホンシステムでは、玄関子機が設置された隣の住戸の玄関周辺が撮像範囲に含まれてしまう場合がある。この場合、居室親機の表示部に隣の住戸への来訪者が映ってしまう可能性があり、プライバシー保護の観点から好ましくない。
【０００５】
そこで、本発明は、隣接する住戸のプライバシーを保護することが可能なインターホンシステムを提供することを目的とする。
【課題を解決するための手段】
【０００６】
上記目的を達成するために、本発明のインターホンシステムは、
それぞれ画角が異なる複数のワイド画像を撮像可能な撮像部を有する玄関子機と、
前記撮像部が撮像したワイド画像を受信して表示可能な居室親機と、
を備え、
前記玄関子機は、前記居室親機を介して設定された設定情報に基づいて、前記撮像部が撮像するワイド画像の画角を決定する。
【０００７】
この構成によれば、例えば、インターホンを設置する業者や居住者が、居室親機に表示されるワイド画像に対して、隣の住戸の玄関との距離間隔を考慮して適切な画角を設定することができる。このため、隣接する住戸のプライバシーを保護することができる。
【０００８】
また、本発明のインターホンシステムにおいて、
前記居室親機は、
前記撮像部が撮像するワイド画像の画角を設定するための前記設定情報を設定する設定部と、
前記設定情報を前記玄関子機へ送信可能な送信部と、
を有し、
前記玄関子機は、
前記送信部から送信された前記設定情報を受信する受信部と、
前記設定情報を記憶する記憶部と、
を有し、
前記撮像部は、前記記憶部に記憶された前記設定情報に基づいて、前記撮像部が撮像するワイド画像の画角を決定するようにしても良い。
【０００９】
この構成によれば、インターホンを設置する業者や居住者は、居室親機を操作することで適切な画角を設定することができる。
【００１０】
また、本発明のインターホンシステムにおいて、
前記居室親機は、
前記玄関子機から送信されてきた前記ワイド画像を表示する表示部と、
前記表示部に表示された前記ワイド画像の一部を拡大してズーム画像として表示するための操作が行われる操作部と、
を有し、
前記玄関子機は、前記ズーム画像の表示範囲を、前記ワイド画像の撮像範囲を超えないように設定するようにしても良い。
【００１１】
この構成によれば、表示部に、一部が欠けたズーム画像が表示されることを防ぐことができる。
【００１２】
また、本発明のインターホンシステムは、
前記複数のワイド画像の各々において、前記ズーム画像の表示範囲が複数設定されており、少なくとも一部の前記ズーム画像の表示範囲の中心位置が、前記ワイド画像の画角を規定する角度座標軸上で同一であっても良い。
【００１３】
この構成によれば、画角の異なるワイド画像のそれぞれに対して歪補正情報を準備する必要がなくなり、補正処理を簡略化することができる。
【発明の効果】
【００１４】
本発明のインターホンシステムによれば、隣接する住戸のプライバシーを保護することができる。
【図面の簡単な説明】
【００１５】
【図１】本発明の実施形態に係るインターホンシステムの構成図である。
【図２】インターホンシステムの機能ブロック図である。
【図３】玄関子機のカメラで撮像される映像の表示範囲を来訪者の上方側から見て示した図である。
【図４】（ａ）〜（ｃ）は各ワイド画像において選択しうるズーム画像の各タッチエリアを示す図である。
【図５】画角の角度座標におけるズーム画像の中心位置を示す図である。
【図６】（ａ）〜（ｃ）は各ワイド画像上におけるズーム画像の中心位置を示す図である。
【発明を実施するための形態】
【００１６】
以下、本実施形態の一例について、図面を参照して説明する。
図１及び図２に示すように、インターホンシステム１は、住戸外の例えば住戸玄関に設置される玄関子機２と、住戸内に設置される居室親機３とを備えている。玄関子機２と居室親機３とは信号ラインＬを介して接続されている。インターホンシステム１は、一戸建て住宅やマンション等の集合住宅における各住戸などに設置される。
【００１７】
玄関子機２は、カメラ２１と、子機映像処理部２２と、記憶部２３と、呼出ボタン２４と、通話部２５と、子機電源部２６と、子機ＣＰＵ２７と、子機インターフェース（以下、インターフェースをＩＦと称する。）２８とを有している。
【００１８】
カメラ２１は、呼出操作を行った来訪者の映像（住戸玄関の周囲近傍の映像を含む）を撮像するためのものであり、レンズ２１ａと受光部２１ｂとを有している。レンズ２１ａには、広範囲の映像を撮像可能な広角レンズが用いられている。受光部２１ｂは、レンズ２１ａを透過する光の強度に応じて電気信号（映像信号）を生成する撮像素子で構成されている。
【００１９】
子機映像処理部２２は、カメラ２１の受光部２１ｂから送られてくる映像信号を信号処理するとともに、処理した信号を居室親機３へ送信する。例えば、子機映像処理部２２は、受光部２１ｂから送られてきた映像信号を選択されている画角のワイド画像とするための画角処理を行う。また、子機映像処理部２２は、画角処理されたワイド画像を所定の画像サイズとするためのサイズ処理を行う。また、子機映像処理部２２は、ワイド画像の一部を拡大してズーム画像として表示させるためのズーム画像処理を行う。さらに、子機画像処理部２２は、ワイド画像及びズーム画像として表示される映像の歪補正等の処理を行う。なお、カメラ２１と子機映像処理部２２とは、ワイド画像の画角を決定する撮像部の一例を構成する。
【００２０】
記憶部２３は、映像の歪補正を行う際に用いられる補正パラメータを記憶している。補正パラメータは、歪補正に係るパラメータ群等のような態様で記憶されており、表示されるワイド画像及び各ズーム画像毎に、映像における歪の補正がそれぞれ最適となるように対応づけて記憶されている。また、記憶部２３は、居室親機３側で設定されるワイド画像の画角を設定するための設定情報を記憶している。さらに、記憶部２３は、ワイド画像の一部を選択するために分割された居室親機３の表示部３３（後述する）における各タッチエリアと、上記選択に伴って表示されるズーム画像の中心位置の座標点とを対応づけて記憶している。
【００２１】
呼出ボタン２４は、来訪者が居住者を呼び出すために操作するボタンである。通話部２５は、来訪者が居住者との間で通話するためのものであり、マイク２５ａとスピーカ２５ｂとを有する。子機電源部２６は、居室親機３から供給されてくる電力を受電し、所定レベルの動作電力を玄関子機２の各部へ供給する。子機ＣＰＵ２７は、玄関子機２を構成する各部の動作を制御する。子機ＩＦ２８（受信部の一例）は、子機ＣＰＵ２７と居室親機３間、子機映像処理部２２と居室親機３間、子機電源部２６と居室親機３間における信号伝送路を形成する。
【００２２】
居室親機３は、設定部３１と、親機映像処理部３２と、記憶部３２Ａと、表示部３３と、切替ボタン３４と、通話ボタン３５と、通話部３６と、親機電源部３７と、親機ＣＰＵ３８と、親機ＩＦ３９とを有している。
【００２３】
設定部３１は、玄関子機２のカメラ２１が撮像するワイド画像の画角を設定するための設定情報を設定する。画角とは、カメラ２１が撮像することができる横軸上（水平軸上）の撮像範囲角度のことをいう。ワイド画像の画角は、複数種類の画角の中から任意に選択することができるように構成されている。設定部３１は、例えば切替えて設定することができるスイッチで形成されている。本例では、設定部３１は、居室親機３の筐体内部に設けられており、インターホンシステム１を設置する業者以外の者は操作できないように構成されている。業者がスイッチを切替えることにより、設定情報であるワイド画像の画角が設定される。但し、設定部３１は、ユーザ（居住者）によって任意に切替えできるような構成であっても良い。
【００２４】
親機映像処理部３２は、玄関子機２から送信されてきた映像信号を表示部３３へ出力させるための信号処理を行う。記憶部３２Ａは、設定部３１で設定されたワイド画像の画角の情報、ズーム画像として拡大表示させるために指定された表示部３３上の位置の情報等を記憶している。
【００２５】
表示部３３は、親機映像処理部３２から送信される映像信号をワイド画像またはズーム画像として表示する。表示部３３は、例えばＬＣＤ（Liquid Crystal Display）、有機ＥＬ（Electro Luminescence）等で構成されている。表示部３３上には、例えばワイド映像の一部を拡大してズーム画像として表示させるために操作するタッチパネル（操作部の一例）３３Ａが設けられている。
【００２６】
切替ボタン３４は、表示部３３に表示されているズーム画像をワイド画像へ切り替えるために操作するボタンである。切替ボタン３４は、例えば表示部３３上に表示されるタッチ操作式のボタン、あるいは居室親機３の筐体上に配置される押下式のボタンとして設けられている。
【００２７】
通話ボタン３５は、来訪者からの呼出しに応答するためのボタンである。通話部３６は、居住者が来訪者との間で通話するためのものであり、マイク３６ａとスピーカ３６ｂとを有する。親機電源部３７は、所定レベルの動作電力を居室親機３の各部へ供給するとともに、玄関子機２の子機電源部２６へ電力を供給する。親機ＣＰＵ３８は、居室親機３を構成する各部の動作を制御する。親機ＩＦ３９（送信部の一例）は、親機ＣＰＵ３８と玄関子機２間、親機映像処理部３２と玄関子機２間、親機電源部３７と玄関子機２間における信号伝送路を形成する。
【００２８】
居室親機３の表示部３３に表示することができるワイド画像は、本例では、図３に示すように、玄関子機２のカメラ２１が撮像する撮像範囲において画角が１７０°、１５０°、又は１２０°となる３種類のワイド画像の中から選択できるように設定されている。選択される各ワイド画像（170°ワイド画像、150°ワイド画像、120°ワイド画像と称する）の表示範囲は、それぞれ図３の矢印で示される表示範囲４３，４２，４１となる。ワイド画像として表示部３３に表示される画像は、子機映像処理部２２がカメラ２１で撮像された映像（少なくとも１７０°以上の撮像範囲の映像）をその画角が１７０°、１５０°、１２０°となるようにそれぞれ左右両端部をカットし、さらにその画像の大きさが表示部３３の全表示サイズと合致するように画像サイズを処理したものである。画像サイズの処理は、表示部３３における横方向のサイズ処理だけでなく、必要に応じて縦方向のサイズ処理も行われる。
【００２９】
タッチパネル３３Ａが設けられている表示部３３は、例えば、図４（ａ）〜（ｃ）に示すように、170°ワイド画像、150°ワイド画像、120°ワイド画像において、それぞれ拡大して（ズーム画像として）表示することができるエリアとして複数のタッチエリアに分割されている。図４（ａ）は170°ワイド画像の分割されたタッチエリアを示し、図４（ｂ）は150°ワイド画像の分割されたタッチエリアを示しており、タッチエリア１〜２５までの２５個のタッチエリアに分割されている。図４（ｃ）は120°ワイド画像の分割されたタッチエリアを示しており、タッチエリア１〜９までの９個に分割されている。表示部３３は、各タッチエリア内のいずれかの部分がタッチされることにより、タッチされたタッチエリアをズーム画像として拡大表示することができるように構成されている。
【００３０】
ズーム画像として各タッチエリアを拡大して表示させる場合、表示部３３に表示されるエリアは、図４に示すように、選択される各タッチエリアのみならず、そのタッチエリアに隣接するタッチエリアの一部も含まれても良い。例えば図４（ａ）、（ｂ）に示すように、拡大させたいエリアとしてタッチエリア１１が選択された場合には、タッチエリア１１のみならず、隣接するタッチエリア６，７，１２，１６，１７の一部を含めた表示エリア５１，５２が表示部３３にズーム画像として表示される。同様に、図４（ａ）においてタッチエリア１３が選択された場合には、タッチエリア７〜９，１２，１４，１７〜１９の一部を含めた表示エリア５３が表示される。図４（ｃ）においてタッチエリア４が選択された場合には、タッチエリア１，２，５，７，８の一部を含めた表示エリア５４が表示される。なお、本例において各ワイド画像の右下に破線で四角形状に表示されているエリアが、ズーム画像で表示されている映像をワイド画像へ切り替えるための切替ボタン３４である。
【００３１】
記憶部２３に記憶される補正パラメータのうち、各ズーム画像の補正に対して用いられる補正パラメータは、図５に示すような画角の角度座標上の点毎に記憶されている。画角の角度座標とは、玄関子機２のカメラ２１が撮像する撮像エリア上に表わされる座標で、ワイド画像の画角を規定する座標のことをいう。図５の角度座標上に示されている各座標点は、選択により居室親機３の表示部３３に表示されうる各ズーム画像の中心位置を示す。ズーム画像毎の歪補正パラメータは、角度座標における各ズーム画像の中心位置に対応づけて記憶部２３に記憶されている。
【００３２】
また、これらの中心位置を示す座標値は、図６（ａ）〜（ｃ）に示すように、各ワイド画像上におけるＸ，Ｙ座標においてもズーム画像の中心位置を示す点として使用されている。例えば図６（ａ）に示す座標点（−28，0）は、170°ワイド画像においてズーム画像として表示される表示エリア５１の中心位置を示しており、図５における角度座標点（−28，0）に対応している。また、図６（ｂ）の座標点（−28，0）は、150°ワイド画像においてズーム画像として表示される表示エリア５２の中心位置を示しており、図５の角度座標点（−28，0）に対応している。さらに、図６（ｃ）の座標点（−14，0）は、120°ワイド画像においてズーム画像として表示される表示エリア５４の中心位置を示しており、図５の角度座標点（−14，0）に対応している。
【００３３】
このため、例えば170°ワイド画像が表示されている表示部３３においてタッチエリア１１が選択された場合（図４（ａ）参照）、ズーム画像として表示される表示エリア５１の中心位置である座標点（−28，0）が特定されて（図６（ａ）参照）、その中心位置（座標点（−28，0））に対応づけられている補正パラメータが記憶部２３から読み出される。また、150°ワイド画像においてタッチエリア１１が選択された場合（図４（ｂ）参照）、ズーム画像として表示される表示エリア５２の中心位置である座標点（−28，0）が特定されて（図６（ｂ）参照）、170°ワイド画像の場合と同様に、その中心位置（座標点（−28，0））に対応づけられている補正パラメータが記憶部２３から読み出される。
【００３４】
同様に、150°ワイド画像においてタッチエリア１２が選択された場合（図４（ｂ）参照）、ズーム画像として表示される表示エリア５５の中心位置である座標点（−14，0）が特定されて（図６（ｂ）参照）、その中心位置（座標点（−14，0））に対応づけられている補正パラメータが読み出される。また、120°ワイド画像においてタッチエリア４が選択された場合（図４（ｃ）参照）、ズーム画像として表示される表示エリア５４の中心位置である座標点（−14，0）が特定されて（図６（ｃ）参照）、150°ワイド画像のタッチエリア１２の場合と同様に、その中心位置（座標点（−14，0））に対応づけられている補正パラメータが読み出される。
【００３５】
なお、表示部３３の中央付近に位置する例えばタッチエリア１２の中心位置は、その表示エリア５５の中心位置と一致するように設定されている（図４（ｂ），図６（ｂ）参照）。これに対して、表示部３３の周辺部に位置する例えばタッチエリア１１の中心位置は、その表示エリア５１，５２の中心位置とは一致していない（図４（ａ）（ｂ），図６（ａ）（ｂ）参照）。また、各ワイド画像において選択される全てのズーム画像の表示エリア（例えば、表示エリア５１〜５６等）は、ワイド画像の撮像範囲を超えないエリアとなるように設定されている（図４，図６参照）。また、最大の広角撮像範囲（本例では170°ワイド画像）は、全てのズーム画像の表示エリアを加算して表示することができる表示エリアよりも大きなエリアとなるように設定されている（図４（ａ）、図６（ａ）参照）。例えば図４（ａ）、図６（ａ）に示す170°ワイド画像の周辺部は、ズーム画像として表示できる表示エリアに含まれていない。
【００３６】
次に、インターホンシステム１の動作を説明する。
インターホンシステム１は、先ず、設置業者によって住戸に設置される際に、居室親機３に設けられている設定部３１の設定が行われる。この設定は、居室親機３の表示部３３に例えば隣家への来訪者が映り込まないように、玄関子機２のカメラ２１で撮像される映像の表示範囲（画角）を決定することにより行われる。設定された設定情報は、親機ＩＦ３９を介して玄関子機２へ送信され、記憶部２３に記憶される。
【００３７】
続いて、来訪者が玄関子機２の呼出ボタン２４を操作すると、子機ＣＰＵ２７からカメラ２１へ開始信号が送信され、カメラ２１による撮像動作が開始される。また、撮像された映像信号は、子機映像処理部２２に送信される。子機映像処理部２２は、記憶部２３に記憶されている設定情報に基づいてワイド画像の表示範囲が上記設定されている画角となるようにするための画角処理を行い、さらに画角処理されたワイド画像の大きさが表示部３３の全表示サイズと合致するようにサイズ処理を行う。また、子機映像処理部２２は、上記ワイド画像に対応づけて記憶されている歪補正パラメータを記憶部２３から読み出して、上記サイズ処理されたワイド画像の歪補正処理を行う。処理された映像信号は、呼出信号と共に子機ＩＦ２８を介して居室親機３へ送信される。
【００３８】
居室親機３では、呼出信号の受信に応じて通話部３６のスピーカ３６ｂから呼出音が出力されるとともに、歪補正等された映像信号がワイド画像として表示部３３に表示される。居室親機３は、通話ボタン３５を押下することにより玄関子機２との間で通話可能となる。
【００３９】
続いて、表示部３３に表示されているワイド画像の一部のエリアを拡大して表示させるズーム操作が行われた場合、インターホンシステム１は、以下のような動作を行う。
【００４０】
＜動作１＞
例えば表示部３３に170°ワイド画像が表示されている場合（図４（ａ）参照）において、タッチエリア１２の一部がタッチ操作されると、タッチされた位置の座標データが玄関子機２に送信される。
【００４１】
子機映像処理部２２は、上記座標データを受信すると、その座標データと最も距離が近い中心位置の座標点を有するタッチエリア１２を特定する。また、子機映像処理部２２は、特定されたタッチエリア１２の角度座標点（−14，0）に対応づけて記憶されている歪補正パラメータを記憶部２３から読み出す。
【００４２】
子機映像処理部２２は、受光部２１ｂから送られてきている映像信号において、上記特定されたタッチエリア１２に対応する表示エリア５６（図４（ａ）参照）を用い、映像の画像サイズを表示部３３のサイズに合致させるズーム画像処理を行うとともに、読み出した歪補正パラメータ等を用いて映像の歪補正処理を行う。子機映像処理部２２は、処理したズーム画像の映像信号を居室親機３へ送信する。
【００４３】
居室親機３では、送信されてきた映像信号が親機映像処理部３２によってズーム画像として表示部３３に表示される。
【００４４】
＜動作２＞
例えば表示部３３に150°ワイド画像が表示されている場合（図４（ｂ）参照）において、タッチエリア１２の一部がタッチ操作されると、タッチされた位置の座標データが玄関子機２に送信される。
【００４５】
以降、上記動作１と同様にして角度座標点（−14，0）に対応づけて記憶されている歪補正パラメータが記憶部２３から読み出され、ズーム画像の画像サイズや歪補正等の処理が行われて、居室親機３の表示部３３にズーム画像が表示される。
【００４６】
＜動作３＞
例えば表示部３３に120°ワイド画像が表示されている場合（図４（ｃ）参照）において、タッチエリア４がタッチ操作されると、タッチされた位置の座標データが玄関子機２に送信される。
【００４７】
子機映像処理部２２は、上記座標データを受信すると、その座標データと最も距離が近い中心位置の座標点を有するタッチエリア４を特定する。子機映像処理部２２は、特定したタッチエリア４の角度座標点（−14，0）に対応づけて記憶されている歪補正パラメータを記憶部２３から読み出す。
【００４８】
そして、上記動作１と同様にズーム画像の補正等の処理が行われて、居室親機３の表示部３３にズーム画像が表示される。
【００４９】
続いて、表示部３３にズーム画像が表示されている状態において切替ボタン３４がタッチ操作された場合、インターホンシステム１は、以下のような動作を行う。
【００５０】
切替ボタン３４が操作されたことを示す切替信号が居室親機３から玄関子機２へ送信される。子機映像処理部２２は、上記切替信号を受信すると、ワイド画像に対応づけて記憶されている歪補正パラメータを記憶部２３から読み出してワイド画像の補正等の処理を行う。処理されたワイド画像の映像信号は居室親機３へ送信される。居室親機３では、送信されてきた映像信号が親機映像処理部３２によって、ワイド画像として表示部３３に表示される。
【００５１】
以上説明したインターホンシステム１によれば、予め準備された複数種類のワイド画像の画角の中から隣の住戸の玄関との距離間隔等を考慮して適切な画角を設定することができる。このため、例えば隣の住戸への訪問者が居室親機３の表示部３３に映ってしまう可能性を低減することが可能となり、隣接する住戸のプライバシーを保護することができる。
【００５２】
また、ワイド画像の画角の設定は、居室親機３に設けられている設定部３１を操作することにより行うことができる。このため、居室親機３の表示部３３に表示される映像を見ながら設定部３１を操作することができるので、さらに適切なワイド画像の画角を設定することができる。
【００５３】
また、ズーム画像の表示エリア（例えば、表示エリア５１〜５５等）は、ワイド画像の撮像範囲を超えないように設定されている。このため、居室親機３の表示部３３に、一部が欠けたズーム画像が表示されることを防ぐことができる。
【００５４】
ところで、異なる画角を有する複数種類のワイド画像の中から使用するワイド画像を任意に選択することができる構成の場合、各ワイド画像に対してそれぞれにズーム画像及び歪補正パラメータ等を有するようにすることも可能である。しかしながら、この場合には、準備するデータの量が膨大となってコストアップとなる。また、設計においても、非常に多くの歪補正等が必要となり、複雑なものにしてしまう。
【００５５】
これに対してインターホンシステム１では、画角の角度座標におけるズーム画像の中心位置に基づいて（図５参照）、画角の異なるワイド画像でズーム画像及びその歪補正パラメータを共通で使用している。このため、各ワイド画像のそれぞれに対して歪補正パラメータ等を準備する必要がなくなり、データ量を減少させてコストアップを抑制することができるとともに、補正処理を簡略化することができる。
【００５６】
また、最大の広角撮像範囲である170°ワイド画像の表示エリアが、全てのズーム画像の表示エリアを加算して表示することができる表示エリアよりも大きなエリアとなるように設定されている。このため、170°ワイド画像のズーム画像と150°ワイド画像のズーム画像とを全て共通で使用することができ、準備する歪補正パラメータのデータ量を大幅に減少させることができる。
【００５７】
また、玄関子機２側に子機映像処理部２２、記憶部２３、及び子機ＣＰＵ２７を設けるとともに、ワイド画像の画角を設定した設定情報、表示エリアを選択した選択信号、切替ボタンを操作した切替信号等を居室親機３から玄関子機２へ送信している。このため、玄関子機２側で画角処理、ズーム画像処理、及び歪補正処理等を行うことができ、親機側における処理負荷を低減することができる。
【００５８】
また、ワイド画像の画角を決定する設定部３１の設定が設置業者以外の者が操作できない構成となっている場合には、より適切に画角を設定することができ、プライバシーを保護することができる。また、設置後にユーザが設定部３１を再設定することができる構成となっている場合には、例えば隣の住戸を含む玄関周辺の建築物の配置が変化してもそれに対応してワイド画像の画角を適切な画角に容易に再設定することができる。
【００５９】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００６０】
１：インターホンシステム、２：玄関子機、３：居室親機３、２１：カメラ、２１ａ：レンズ２１ａ、２１ｂ：受光部、２２：子機映像処理部、２３：記憶部、２７：子機ＣＰＵ、２８：子機ＩＦ（受信部の一例）、３１：設定部、３２：親機映像処理部、３２Ａ：記憶部、３３：表示部、３３Ａ：タッチパネル（操作部の一例）、３４：切替ボタン、３８：親機ＣＰＵ、３９：親機ＩＦ（送信部の一例）
【図１】
0006602686.tif 000002
【図２】
0006602686.tif 000003
【図３】
0006602686.tif 000004
【図４】
0006602686.tif 000005
【図５】
0006602686.tif 000006
【図６】
0006602686.tif 000007